(57)【要約】      （修正有）【課題】室内家具、インテリアとも違和感なく平面ならどこでも設置でき、御利益やご加護を受けようとする人々の印象を損なわず、制作コストを抑え部品点数を少なくし組み立てが容易で小型化された宝くじ及び受験票スタンドを提供する。【解決手段】穴あき５円硬貨に限定して使用するため必要最小限まで小型化でき、なおかつ部品点数を少なくできる為、木や金属などさまざまな素材を用いても製作コストを抑えられ、また、穴あき５円硬貨の利用で類似目的品と遜色なく人々に好印象を与えられることができた。【選択図】図１
0003105499.tif 000002
【実用新案登録請求の範囲】
【請求項１】
木材、金属、ガラス、プラスチック等の素材から、板状の材料と直径５ｍｍ以下の棒状の材料を制作、板状のものに直径５ｍｍ以下の穴を開け棒状の材料を組み合わせてその棒状部に５円硬貨を重ねて通して使用、５円硬貨との滑り止めとの間に宝くじ、ロト又は受験票、写真などを立て掛けておく書類スタンド。
【請求項２】
請求項１をもとに、棒状の材料を２本から数本にして使用する。
【考案の詳細な説明】
【技術分野】
【０００１】
本考案は、棒状部に５円硬貨を通し、書類を立て掛ける背もたれ部分を作
くった宝くじ及び受験票スタンドに関するものである。
【背景技術】
【０００２】
神棚様のものやシート状のものがある。
【０００３】
しかし神棚様のものは大型で柱に釘を打つなど取り付けに難があり、シート
状のものは携帯用であるため定位置に宝くじなどを保管できないという点が
あった。
【考案の開示】
【考案が解決しようとする課題】
【０００４】
解決しようとする問題点は、神棚様のもので御利益を受け宝くじを保管するという観点から大型のものになってしまう点と部品点数が多い点また設置場所に困る点である。
【課題を解決するための手段】
【０００５】
本考案は、五円硬貨を積み上げて利用するため部品点数を少なくし小型化できうえ、小スペースで設置できることを最も主要な特徴とする。
【考案の効果】
【０００６】
屋内であれば場所を選ばず利用でき小型であるので、神棚、仏壇などに置くことも可能で同時に参拝などで利用する賽銭にそのまま利用できる。
簡素な構造のわりには御利益、ジンクスなど人々に与える印象も他のものとほぼ同等という利点がある。
【考案を実施するための最良の形態】
【０００７】
人々が何らかの方法で御利益やご加護を受けようとする目的を損なわず、穴
あき５円硬貨利用で小型化を実現した。
【実施例】
【０００８】
図２は、本考案の１実施例の断面図である。５円硬貨５を重ね入れるための棒を持った書類スタンドであって、板状部４に対して、書類がずれないように滑り止め３と、棒状部１とからなる。本実施例は、５円硬貨５の穴に通すために棒上部１を５ミリ以下にすることが望ましい、材料は地球上の物質で本考案どおりに成形可能であれば、何でもよい。
【０００９】
板状部２に棒状部１を固定するために板状部２に穴４が、突き抜けないように形成されていて、接着剤、糊などで接着する。
【００１０】
本実施例は、５円硬貨５を棒状部１に差し入れた状態で神棚、仏壇、床の間、テレビ、金庫等に設置して、宝くじや受験票、写真などを滑り止め３と５円硬貨５との間に立て掛けて使用する。
【００１１】
図６は、棒状部１を２本または複数本にして立て掛ける書類の保持能力を上げるとともに更に多くの５円硬貨５を使用するため、より力強い印象を与えることができる。
【産業上の利用可能性】
【００１２】
全体に黄色、桃色など、さまざまな色に塗装することによって風水グッズなど部屋のインテリアに、また底板の形状を変えることや布などをはることで神社等での授与品としての使用、神社参拝時のお賽銭用５円硬貨のストックホルダー、また、写真スタンドと組み合わせて使用するその他キャラクターグッズとしても利用できる。
【図面の簡単な説明】
【００１３】
【図１】本考案の正面図
【図２】本考案の実施例の断面
【図３】本考案の横面の断面
【図４】本考案の底板図
【図５】本考案の実施例の立体図
【図６】本考案の請求項２の実施例の正面図
【符号の説明】
【００１４】
１．５円硬貨を通す直径５ｍｍ以下の棒
２．底板
３．書類を保持する滑り止め
４．棒材料の差込部
５．考案を実施した５円硬貨
６．考案を実施した書類
【図１】
0003105499.tif 000003
【図２】
0003105499.tif 000004
【図３】
0003105499.tif 000005
【図４】
0003105499.tif 000006
【図５】
0003105499.tif 000007
【図６】
0003105499.tif 000008
【手続補正書】
【提出日】平成16年4月6日(2004.4.6)
【手続補正１】
【補正対象書類名】明細書
【補正対象項目名】０００５
【補正方法】変更
【補正の内容】
【０００５】
本考案は、棒状の部品に５円硬貨を通し積み上げて利用するため部品点数を少なくし小型化できるため、小さなスペースでも設置して使用できることを最も主要な特徴とする。
【手続補正書】
【提出日】平成16年4月22日(2004.4.22)
【手続補正１】
【補正対象書類名】実用新案登録請求の範囲
【補正対象項目名】請求項１
【補正方法】変更
【補正の内容】
【請求項１】
木材等の材料から、板状部と直径５ｍｍ以下の棒状部と書類を保持する滑り止めを製作し組み合わせてなる、穴あき５円硬貨を利用した宝くじ及び受験票スタンド。
【手続補正２】
【補正対象書類名】実用新案登録請求の範囲
【補正対象項目名】請求項２
【補正方法】変更
【補正の内容】
【請求項２】
請求項１で記載した直径５ｍｍ以下の棒状部を２本から数本に増やしたことを特徴とする、穴あき５円硬貨を利用した宝くじ及び受験票スタンド。
【手続補正書】
【提出日】平成16年7月1日(2004.7.1)
【手続補正１】
【補正対象書類名】実用新案登録請求の範囲
【補正対象項目名】全文
【補正方法】変更
【補正の内容】
【実用新案登録請求の範囲】
【請求項１】
木材等の材料から、板状部につき抜けない穴をあけ直径５ｍｍ以下の棒状部を差込み接着剤等で固定し書類を保持する滑り止めを板状部の適当な位置に設置、穴あき５円硬貨に棒状部を通し積み上げてなる、穴あき５円硬貨を利用した宝くじ及び受験票スタンド。
【請求項２】
請求項１での記載をもとに直径５ｍｍ以下の棒状の材料を２本から数本の増やしたことを特徴とし、板状部、書類する滑り止めとを組み合わせてなる、穴あき５円硬貨を利用した宝くじ及び受験票スタンド。
【手続補正書】
【提出日】平成16年7月1日(2004.7.1)
【手続補正１】
【補正対象書類名】実用新案登録請求の範囲
【補正対象項目名】全文
【補正方法】変更
【補正の内容】
【実用新案登録請求の範囲】
【請求項１】
木材等の材料から、板状部につき抜けない穴をあけ直径５ｍｍ以下の棒状部を差込み接着剤等で固定し書類を保持する滑り止めを板状部の適当な位置に設置、穴あき５円硬貨に棒状部を通し積み上げてなる、穴あき５円硬貨を利用した宝くじ及び受験票スタンド。
【請求項２】
請求項１での記載をもとに直径５ｍｍ以下の棒状の材料を２本から数本の増やしたことを特徴とし、板状部、書類を保持する滑り止めとを組み合わせてなる、穴あき５円硬貨を利用した宝くじ及び受験票スタンド。
【手続補正書】
【提出日】平成16年7月1日(2004.7.1)
【手続補正１】
【補正対象書類名】明細書
【補正対象項目名】０００５
【補正方法】変更
【補正の内容】
【０００５】
本考案は、棒状部を穴あき５円硬貨に通し積み上げて利用するため部品点数を少なくし小型化できるので、小さなスペースでも設置して使用できることを最も主要な特徴とする。
【手続補正２】
【補正対象書類名】明細書
【補正対象項目名】０００８
【補正方法】変更
【補正の内容】
【０００８】
図２は、本考案の実施例の断面図である。５円硬貨５を重ね入れるための棒を持った書類スタンドであって、板状部２に対して、書類を保持する滑り止め３と、棒状部１とからなるが、５円硬貨５の穴に通すために棒状部１を５ミリ以下にすることが望ましい、材料は地球上の物質で本考案どおりに成形可能であれば、何でもよい。
【手続補正３】
【補正対象書類名】明細書
【補正対象項目名】００１４
【補正方法】変更
【補正の内容】
【００１４】
１．５円硬貨を通す直径５ｍｍ以下の棒状部
２．板状部
３．書類を保持する滑り止め
４．棒状部を差込んで固定する穴
５．考案を実施した穴あき５円硬貨
６．考案を実施した書類の断面